(57)【要約】【課題】  各紙片を分離した後、他の用紙の紙片と混在した場合であっても、容易に対応する紙片を整合させることが可能な複写シートを提供する。【解決手段】  切り離し用ミシン目２ａ、２ｂにより第１紙片１ａ、第２紙片１ｂ、第３紙片１ｃ、第４紙片１ｄの４紙片に区分された基材１を有し、区分された紙片の全てに共通の識別情報６と、記入欄３又は複写欄７ａ〜７ｃを規定する枠が無版印刷により印刷されており、識別情報が印刷された面において、全ての紙片に渡って全面に顕色剤層４が形成されており、基材１の他方の面において、第４紙片１ｄが最下票の役割をなし、第４紙片１ｄを除く他の紙片の少なくとも一つにおいて、紙片の一部であって、紙片を重ねた際に記入欄３又は複写欄７ａ〜７ｃと少なくとも一部が重なる位置に、発色剤層５が形成されている【選択図】  図１
2015063107.tif 000002
【特許請求の範囲】
【請求項１】
切り離し用ミシン目が形成され、当該切り離し用ミシン目により複数の紙片に区分された基材を有し、
前記基材の一方の面において、前記区分された紙片の全てに、記入欄又は複写欄を規定する枠が印刷され、１つの基材上で共通であって異なる基材間において異なる識別情報が無版印刷により印刷され、
前記基材の一方の面において、全ての紙片に渡って全面に顕色剤層が形成されており、
前記基材の他方の面において、区分された紙片の一つが最下票の役割をなし、当該紙片を除く他の紙片の少なくとも一つにおいて、紙片の一部であって、紙片を重ねた際に前記記入欄又は複写欄と少なくとも一部が重なる位置に、発色剤層が形成されていることを特徴とする複写シート。
【請求項２】
前記基材は、３以上の紙片に区分されており、前記最下票の役割をなす紙片以外の紙片には、前記基材の他方の面に、発色剤層が形成されていることを特徴とする請求項１に記載の複写シート。
【請求項３】
切り離し用ミシン目が形成され、当該切り離し用ミシン目により複数の紙片に区分された基材を有し、
前記基材の一方の面において、前記区分された紙片の全てに、記入欄又は複写欄を規定する枠が印刷され、１つの基材上で共通であって異なる基材間において異なる識別情報が無版印刷により印刷され、
前記基材の一方の面において、区分された紙片の一つが記入欄を含む最上票の役割をなし、当該紙片を除く他の紙片の少なくとも一つにおいて、紙片の一部であって、前記記入欄又は複写欄と少なくとも一部が重なる位置に、顕色剤層が形成されており、
前記基材の他方の面において、全ての紙片に渡って全面に発色剤層が形成されていることを特徴とする複写シート。
【請求項４】
前記基材は、３以上の紙片に区分されており、前記最上票の役割をなす紙片以外の紙片には、前記基材の一方の面に顕色剤層が形成されていることを特徴とする請求項３に記載の複写シート。
【発明の詳細な説明】
【技術分野】
【０００１】
本発明は、宅配便のような配送業務を行う際に使用する配送伝票等に用いるのに好適な複写シートに関する。
【背景技術】
【０００２】
従来、宅配便等の配送業務、各種入会申込等においては、２〜１０枚程度の伝票を綴じた複写式の多パート伝票、入会申込書が使用されている。これら多パート伝票や入会申込書は、上層の用紙に記入した内容が下層の用紙に複写されるように構成された複写シートを加工することにより作成される。このような複写シートを比較的安価に製造する手法も開発されている（特許文献１参照）。
【先行技術文献】
【特許文献】
【０００３】
【特許文献１】特開２００５−１８６４０９号公報
【発明の概要】
【発明が解決しようとする課題】
【０００４】
しかしながら、上記特許文献１に記載の発明では、１枚の用紙を折り畳んで各紙片を重ねた形式とするため、各紙片を分離した後、他の用紙の紙片と混在した場合に、対応する紙片を重ね合わせることが難しい、という問題がある。
【０００５】
一般的に、配送伝票等の顧客控えを有する複写伝票は、それぞれの枚目ごとに印刷し、可変情報を印字した後に、丁合機などで重ね合わせることにより製造している。この方法では、用紙のロスが多く、可変情報をマッチングしながら丁合する必要があり、マッチングミスが発生しやすい、という問題がある。
【０００６】
そこで、本発明は、各紙片を分離した後、他の用紙の紙片と混在した場合であっても、容易に対応する紙片を整合させることが可能な複写シートを提供することを課題とする。
【課題を解決するための手段】
【０００７】
本発明に係る複写シートは、切り離し用ミシン目が形成され、当該切り離し用ミシン目により複数の紙片に区分された基材を有し、前記基材の一方の面において、前記区分された紙片の全てに、記入欄又は複写欄を規定する枠が印刷され、１つの基材上で共通であって異なる基材間において異なる識別情報が無版印刷により印刷され、前記基材の一方の面において、全ての紙片に渡って全面に顕色剤層が形成されており、前記基材の他方の面において、区分された紙片の一つが最下票の役割をなし、当該紙片を除く他の紙片の少なくとも一つにおいて、紙片の一部であって、紙片を重ねた際に前記記入欄又は複写欄と少なくとも一部が重なる位置に、発色剤層が形成されていることを特徴とする。無版印刷とは、刷版などを作成せずに、印刷する方式であり、オフセット印刷等のように、刷版などを作成する方式である有版印刷と区別される。
【０００８】
本発明の複写シートによれば、切り離し用ミシン目が形成され、切り離し用ミシン目により複数の紙片に区分された基材を有し、基材の一方の面において、区分された紙片の全てに、記入欄又は複写欄を規定する枠が印刷され、１つの基材上で共通であって異なる基材間において異なる識別情報が無版印刷により印刷され、基材の一方の面（識別情報が印刷された面）において、全ての紙片に渡って全面に顕色剤層が形成されており、基材の他方の面（識別情報が印刷された面と反対側の面）において、区分された紙片の一つが最下票の役割をなし、その紙片を除く他の紙片の少なくとも一つにおいて、紙片の一部であって、紙片を重ねた際に前記記入欄又は複写欄と少なくとも一部が重なる位置に、発色剤層が形成されているので、１枚構造のシートとして得られ、紙片の分離後に、各紙片が分散してしまった場合であっても、容易に対応する紙片を整合させることが可能となる。特に、発色剤層については、基材の全面ではなく、基材の一部に形成するため、全面に塗布するのに比べて、発色剤を節約することができる。
【０００９】
また、本発明に係る複写シートは、３以上の紙片に区分されており、前記最下票の役割をなす紙片以外の紙片には、前記基材の他方の面に、発色剤層が形成されていることを特徴とする。
【００１０】
本発明の複写シートによれば、基材が３以上の紙片に区分されており、前記最下票（ボトム紙）の役割をなす紙片以外の紙片には、前記基材の他方の面（識別情報が印刷された面と反対側の面）に、発色剤層が形成されているので、多層の複写帳票を１枚の基材から好適に作成することが可能となる。
【００１１】
また、本発明に係る複写シートは、切り離し用ミシン目が形成され、当該切り離し用ミシン目により複数の紙片に区分された基材を有し、前記基材の一方の面において、前記区分された紙片の全てに、記入欄又は複写欄を規定する枠が印刷され、１つの基材上で共通であって異なる基材間において異なる識別情報が無版印刷により印刷され、前記基材の一方の面において、区分された紙片の一つが記入欄を含む最上票の役割をなし、当該紙片を除く他の紙片の少なくとも一つにおいて、紙片の一部であって、前記記入欄又は複写欄と少なくとも一部が重なる位置に、顕色剤層が形成されており、前記基材の他方の面において、全ての紙片に渡って全面に発色剤層が形成されていることを特徴とする。
【００１２】
本発明の複写シートによれば、切り離し用ミシン目が形成され、切り離し用ミシン目により複数の紙片に区分された基材を有し、基材の一方の面において、区分された紙片の全てに、記入欄又は複写欄を規定する枠が印刷され、１つの基材上で共通であって異なる基材間において異なる識別情報が無版印刷により印刷され、基材の一方の面（識別情報が印刷された面）において、区分された紙片の一つが記入欄を含む最上票の役割をなし、その紙片を除く他の紙片の少なくとも一つにおいて、紙片の一部であって、記入欄又は複写欄と少なくとも一部が重なる位置に、顕色剤層が形成されており、基材の他方の面（識別情報が印刷された面と反対側の面）において、全ての紙片に渡って全面に発色剤層が形成されているので、１枚構造のシートとして得られ、紙片の分離後に、各紙片が分散してしまった場合であっても、容易に対応する紙片を整合させることが可能となる。特に、顕色剤層については、基材の全面ではなく、基材の一部に形成するため、全面に塗布するのに比べて、顕色剤を節約することができる。
【００１３】
また、本発明に係る複写シートは、前記基材は、３以上の紙片に区分されており、前記最上票の役割をなす紙片以外の紙片には、前記無版印刷がなされた面に顕色剤層が形成されていることを特徴とする。
【００１４】
本発明の複写シートによれば、基材が３以上の紙片に区分されており、最上票（トップ紙）の役割をなす紙片以外の紙片には、基材の一方の面（識別情報が印刷された面）に、顕色剤層が形成されているので、多層の複写帳票を１枚の基材から好適に作成することが可能となる。
【発明の効果】
【００１５】
本発明によれば、各紙片を分離した後、他の用紙の紙片と混在した場合であっても、容易に対応する紙片を整合させることが可能となる。
【図面の簡単な説明】
【００１６】
【図１】本発明第１の実施形態に係る複写シートの平面図である。
【図２】図１（ａ）に示した表側平面図のＡ−Ａ線、Ｂ−Ｂ線に対応する断面図である。
【図３】本発明第１の実施形態に係る複写シートの使用方法を説明するための図である。
【図４】本発明第２の実施形態に係る複写シートの平面図である。
【図５】図４（ａ）に示した表側平面図のＣ−Ｃ線、Ｄ−Ｄ線に対応する断面図である。
【発明を実施するための形態】
【００１７】
＜１．第１の実施形態＞
以下、本発明の好適な実施形態について、図面を参照して詳細に説明する。
＜１．１．複写シートの構成＞
図１は、本発明第１の実施形態に係る複写シートを示す平面図である。図１において、１は基材、１ａは第１紙片、１ｂは第２紙片、１ｃは第３紙片、１ｄは第４紙片、２ａ、２ｂは切り離し用ミシン目、３は記入欄、４は顕色剤層、５は発色剤層、６は識別情報、７ａ〜７ｃは複写欄である。
【００１８】
また、図１のうち、図１（ａ）は複写シートの表側平面図、図１（ｂ）は複写シートの裏側平面図である。図１（ｂ）は、図１（ａ）とは左右を逆にした状態で示されている。そのため、図１（ａ）では、図面左側に、第１紙片１ａ、第３紙片１ｃが存在し、図面右側に、第２紙片１ｂ、第４紙片１ｄが存在するが、図１（ｂ）では、図面左側に、第２紙片１ｂ、第４紙片１ｄが存在し、図面右側に、第１紙片１ａ、第３紙片１ｃが存在する。
【００１９】
図１（ａ）（ｂ）に示すように、複写シートの基材１の天地方向（図面上下方向）に沿って、切り離し用ミシン目２ａが形成されており、基材１の水平方向（図面左右方向）に沿って、切り離し用ミシン目２ｂが形成されている。切り離し用ミシン目２ａと切り離し用ミシン目２ｂは互いに直交しており、この２つの切り離し用ミシン目２ａ、切り離し用ミシン目２ｂにより、基材１は、第１紙片１ａ、第２紙片１ｂ、第３紙片１ｃ、第４紙片１ｄの４つの紙片に区分されている。具体的には、天地方向の切り離し用ミシン目２ａが、第１紙片１ａと第２紙片１ｂ、第３紙片１ｃと第４紙片１ｄ、それぞれの境界を形成し、水平方向の切り離し用ミシン目２ｂが、第１紙片１ａと第３紙片１ｃ、第２紙片１ｂと第４紙片１ｄ、それぞれの境界を形成している。
【００２０】
図１に示した複写シートでは、第１紙片１ａは、主票として用いられ、第２紙片１ｂ、第３紙片１ｃ、第４紙片１ｄは、それぞれ控え票Ａ、控え票Ｂ、控え票Ｃとして用いられる。図１（ａ）に示すように、主票として用いられる第１紙片１ａの表面には、矩形状の枠が印刷されており、矩形状の枠内が記入欄３であることを示している。主票は最上票（トップ紙）となる。また、控え票Ａとして用いられる第２紙片１ｂ、控え票Ｂとして用いられる第３紙片１ｃ、控え票Ｃとして用いられる第４紙片１ｄの表面には、矩形状の枠が印刷されており、矩形状の枠内がそれぞれ複写欄７ａ、７ｂ、７ｃであることを示している。記入欄３、複写欄７ａ、７ｂ、７ｃは、第１紙片１ａ、第２紙片１ｂ、第３紙片１ｃ、第４紙片１ｄを重ねた場合に、その外枠が重なるように形成されている。複写シートの表側には、その全面に顕色剤層４が形成されている。
【００２１】
図１（ｂ）に示すように、主票として用いられる第１紙片１ａ、控え票Ａとして用いられる第２紙片１ｂ、控え票Ｂとして用いられる第３紙片１ｃの裏面には、発色剤層５が形成されている。発色剤層５は、切り離し用ミシン目２ａ及び切り離し用ミシン目２ｂにより切り離された第１紙片１ａ、第２紙片１ｂ、第３紙片１ｃ、第４紙片１ｄを重ねた際に、複写欄７ａ、７ｂ、７ｃと少なくとも一部が重なる位置に形成される。できれば、完全に一致する位置に形成されることが好ましい。また、控え票Ｃとして用いられる第４紙片１ｄは、最下票（ボトム紙）となるため、第４紙片１ｄの裏面には、顕色剤層４、発色剤層５のいずれも形成されていない。
【００２２】
図１（ａ）に示すように、第１紙片１ａ表面の記入欄３、第２紙片１ｂ表面の複写欄７ａ、第３紙片１ｃ表面の複写欄７ｂ、第４紙片１ｄ表面の複写欄７ｃの下方近傍には、識別情報６が印刷されている。識別情報６は、複写シートを識別するための情報であり、同一複写シートの全ての紙片には、完全に同一の情報が付されている。
【００２３】
識別情報６としては、ある複写シートを他の複写シートと区別可能な情報であれば、数字、記号、アルファベット等様々な情報の組合せとすることができるが、本実施形態では、数字だけの単純な番号としている。図１（ａ）の例では、第１紙片１ａ、第２紙片１ｂ、第３紙片１ｃ、第４紙片１ｄの全てに、“Ｎｏ．（ナンバー）”の後に同一の識別情報“１２３４５６”が印刷されている。
【００２４】
後に複写シートを複数の紙片に分離した際に、対応する紙片を迅速に重ねることを可能とするため、識別情報６は、図１（ａ）に示したように、全ての紙片における同一の面、同一の位置に印刷することが好ましい。しかし、印刷面、印刷位置は必ずしも、同一の面、同一の位置に限定する必要はなく、全ての紙片に同一の識別情報が印刷されてさえいれば、異なる面、異なる位置に印刷されていても良い。
【００２５】
また、各紙片の表面には、その紙片の役割を示す情報（“主票”、“控え票Ａ”、“控え票Ｂ”、“控え票Ｃ”）が印刷されている。その他、図示は省略しているが、必要に応じて絵柄（文字・罫線など）等の印刷も行われている。
【００２６】
図２は、図１（ａ）に示した表側平面図のＡ−Ａ線、Ｂ−Ｂ線に対応する断面図である。図２（ａ）は、Ａ−Ａ線に対応する断面図であり、図２（ｂ）は、Ｂ−Ｂ線に対応する断面図である。図２（ａ）（ｂ）においては、図面上側が基材１の表面、図面下側が基材１の裏面となっている。図２（ａ）のＡ−Ａ線に対応する断面図および図２（ｂ）のＢ−Ｂ線に対応する断面図からわかるように、第１紙片１ａの表面には、顕色剤層４が形成されており、第１紙片１ａの裏面には、一部に発色剤層５が形成されている。また、第２紙片１ｂの表面には、顕色剤層４が形成されており、第２紙片１ｂの裏面には、一部に発色剤層５が形成されている。
【００２７】
図２（ｂ）のＢ−Ｂ線に対応する断面図からわかるように、第３紙片１ｃの表面には、顕色剤層４が形成されており、第３紙片１ｃの裏面には、一部に発色剤層５が形成されている。また、第４紙片１ｄの表面には、顕色剤層４が形成されており、第４紙片１ｄの裏面には、顕色剤層４、発色剤層５のいずれも形成されていない。
【００２８】
記入欄３、複写欄７ａ、７ｂ、７ｃ、発色剤層５の紙片上における縦横のサイズは、いずれも同一であり、切り離し用ミシン目２ａ及び切り離し用ミシン目２ｂにより切り離された第１紙片１ａ、第２紙片１ｂ、第３紙片１ｃ、第４紙片１ｄを重ねた際に、完全に一致する位置に形成されることが好ましい。しかし、現実に製造工程における誤差のために数ｍｍ程度ずれる場合もある。また、発色剤層５における発色剤を節約するため、記入欄３、複写欄７ａ、７ｂ、７ｃより、発色剤層５の面積を小さくするようにしても良い。複写欄７ａ、７ｂ、７ｃ、発色剤層５は、通常の感覚を持った記入者が、記入欄３に記入した際に、複写欄７ａ、７ｂ、７ｃに適正に複写されるような状態で、少なくとも一部が記入欄３と重なるように形成されていれば良い。
【００２９】
基材１としては、コンピュータ等の情報処理装置からの出力データを印刷する市販のプリンタ、すなわち版を作成しない印刷方式である無版印刷で使用可能な印刷適性及び搬送適性を有し、配送伝票や各種入会申込書等として利用するために充分な強度を有するものであれば使用でき、例えば、上質紙、クラフト紙、複写用紙、グラシン紙、パーチメント紙、レーヨン紙、コート紙、合成紙等の紙が好適に用いられる。
【００３０】
顕色剤層４は、発色剤層５と対を成すことにより複写構造として機能する。顕色剤層４を形成する顕色剤としては通常フェノール性水酸基を有する化合物、例えば、パラフェニールフェノール、３，５−ジブチルサリチル酸亜鉛等が用いられる。顕色剤は揮発性有機溶剤に溶解して印刷インキとするか、ないしはマイクロカプセル化した状態で印刷インキとして、オフセット印刷、グラビア印刷、フレキソ印刷等の版を作成する印刷方式である有版印刷で塗布される。
【００３１】
発色剤層５は、顕色剤層４と対を成すことにより複写構造として機能する。発色剤層５は、マイクロカプセル化された発色剤が塗布された層である。発色剤としては公知の無色又は淡色の電子供与性呈色性有機化合物、例えば、トリフェニルメタンフタリド類、ロイコオーラミン類、スピロピラン類、フルオラン類等が使用できる。代表的な化合物はクリスタルバイオレットラクトン即ち３，３−ビス（ｐ−ジメチルアミノフェニル）−６−ジメチルアミノフタリドである。通常発色剤はアリルメタン類、アルキルナフタレン類、ジフェニール類等の芳香族低揮発性溶剤に溶解されて、アラビアゴムとゼラチン等の壁剤によりマイクロカプセル化されて用いられる。発色剤は、マイクロカプセル化された状態で印刷インキとして、グラビア印刷、フレキソ印刷等の有版印刷で塗布される。
【００３２】
＜１．２．複写シートの製造＞
次に、本実施形態に係る複写シートの製造方法について説明する。まず、顕色剤層が全面に塗布されている市販のノーカーボンボトム紙に対してオフセット印刷機を使用し、基材１の表面に絵柄（文字・罫線など）の印刷、切り離し用ミシン目２ａ及び２ｂのミシン目加工を行う。絵柄インキとしては、公知の種々のものを適宜使用することができる。本実施形態では、絵柄インキとしてＤＩＣグラフィックス社製ＮＳインキ（酸化重合タイプ）、またはＤＩＣグラフィックス社製ＵＶ ＢＦ ＳＧインキ（ＵＶ硬化タイプ）を使用している。ノーカーボンボトム紙に塗布されている顕色剤としては、富士フィルムビジネスサプライ製感圧紙専用ＵＶスポットインキＳＤＵ−２０１等が使用されている。これにより、切り離し用ミシン目２ａ、２ｂ、記入欄３、複写欄７ａ、７ｂ、７ｃが形成される。
【００３３】
次に、フレキソ印刷機を使用し、発色剤を塗布する。発色剤としては、三菱製紙製水性ＣＢインキブルーを使用することができる。さらに、発色剤を塗布した部分を乾燥させる。これにより、発色剤層５が形成される。さらに、断裁機でＡ４サイズなど市販のプリンタで印刷できるサイズに断裁する。
【００３４】
最後に、市販のプリンタを使用し、識別情報６を印刷する。識別情報６は断裁されたシートごとに異なる可変情報である。市販のプリンタとしては、レーザ方式、熱転写方式、インクジェット方式等、公知の様々な方式のプリンタを用いることができる。これにより、図１、２に示したような本実施形態に係る複写シートが得られる。
【００３５】
＜１．３．複写シートの使用＞
次に、製造された複写シートの使用方法について説明する。図３は、本実施形態に係る複写シートの使用方法を説明するための図である。複写シートを切り離し用ミシン目２ａ、２ｂで切り離すことにより、第１紙片１ａ、第２紙片１ｂ、第３紙片１ｃ、第４紙片１ｄの４つの紙片に分離する。そして、図３に示すように、全紙片の表面（顕色剤層４が形成されている面）が同一の側を向くようにして、第１紙片１ａ、第２紙片１ｂ、第３紙片１ｃ、第４紙片１ｄを順に重ね合わせる。この際、複写欄７ａ、７ｂ、７ｃと発色剤層５が一致するように重ね合わせる。
【００３６】
全紙片の位置を合わせて重ねることにより、顕色剤層４と発色剤層５が対向して重なる。この状態で、最上層の第１紙片１ａの記入欄３に情報を記入すると、発色剤層５のカプセルのうち、記入による圧力を受けたカプセルが破裂して発色剤が流れ出し、顕色剤層４の顕色剤と反応して発色する。これにより、記入内容が複写欄７ａ、７ｂ、７ｃに複写される。
【００３７】
＜２．第２の実施形態＞
次に第２の実施形態について説明する。図４は、本発明第２の実施形態に係る複写シートを示す平面図である。図４において、１１は基材、１１ａは第１紙片、１１ｂは第２紙片、１１ｃは第３紙片、１１ｄは第４紙片、１２ａ、１２ｂは切り離し用ミシン目、１３は記入欄、１４は顕色剤層、１５は発色剤層、１６は識別情報である。
【００３８】
図５は、図４（ａ）に示した表側平面図のＣ−Ｃ線、Ｄ−Ｄ線に対応する断面図である。図５（ａ）は、Ｃ−Ｃ線に対応する断面図であり、図５（ｂ）は、Ｄ−Ｄ線に対応する断面図である。図５（ａ）（ｂ）においても、図２（ａ）（ｂ）と同様、図面上側が基材の表面、図面下側が基材の裏面となっている。図４、図５からわかるように、第１の実施形態と異なるのは、顕色剤層ではなく、発色剤層１５が基材１１の全面に形成されていることである。
【００３９】
図４に示した複写シートでは、第１紙片１１ａは、主票として用いられ、第２紙片１１ｂ、第３紙片１１ｃ、第４紙片１１ｄは、それぞれ控え票Ａ、控え票Ｂ、控え票Ｃとして用いられる。図４（ａ）に示すように、主票として用いられる第１紙片１１ａの表面には、矩形状の枠が印刷されており、矩形状の枠内が記入欄１３であることを示している。主票は最上票（トップ紙）となる。また、控え票Ａとして用いられる第２紙片１１ｂ、控え票Ｂとして用いられる第３紙片１１ｃ、控え票Ｃとして用いられる第４紙片１１ｄの表面には、顕色剤層１４が形成されている。顕色剤層１４は、複写欄としての役割を果たすものである。顕色剤層１４が設けられている領域の外周には、複写欄を示す矩形状の枠が印刷されている。
【００４０】
第２の実施形態に係る複写シートの製造方法について説明する。まず、市販のノーカーボントップ紙に対してオフセット印刷機を使用し、表面に絵柄（文字・罫線など）の印刷、切り離し用ミシン目１２ａ及び１２ｂのミシン目加工を行う。
【００４１】
次に、オフセット印刷機または活版印刷機を使用し、部分的に顕色剤を塗布する。顕色剤としては、富士フィルムビジネスサプライ製感圧紙専用ＵＶスポットインキＳＤＵ−２０１等を使用することができる。さらに、顕色剤を塗布した部分を乾燥させる。これにより、顕色剤層１４が形成される。さらに、断裁機でＡ４サイズなど市販のプリンタで印刷できるサイズに断裁する。最後に、第１の実施形態と同様、市販のプリンタを使用し、識別情報１６を印刷する。これにより、図４、５に示したような本実施形態に係る複写シートが得られる。
【００４２】
図４、図５に示した第２の実施形態の複写シートを切り離し用ミシン目１２ａ、１２ｂで切り離すことにより、第１紙片１１ａ、第２紙片１１ｂ、第３紙片１１ｃ、第４紙片１１ｄの４つの紙片に分離する。そして、図３に示した場合と同様に、全紙片の表面が同一の側を向くようにして、第１紙片１１ａ、第２紙片１１ｂ、第３紙片１１ｃ、第４紙片１１ｄを順に重ね合わせる。この状態で、最上層の第１紙片１１ａの記入欄１３に情報を記入すると、発色剤層１５のカプセルのうち、記入による圧力を受けたカプセルが破裂して発色剤が流れ出し、顕色剤層１４の顕色剤と反応して発色する。これにより、記入内容が複写欄に複写される。
【００４３】
以上、本発明の好適な実施形態について説明したが、本発明は上記実施形態に限定されず、種々の変形が可能である。例えば、上記実施形態では、２つの切り離し用ミシン目により４つの紙片に分離する構成としたが、最低２つの紙片とし、また、最高５つ以上の紙片とすることも可能である。２つの紙片に分離する場合、第１紙片は表面に記入欄、裏面に発色剤層を有し、第２紙片は表面に顕色剤層を有し、裏面に発色剤層を有する。また、最上票（トップ紙）と最下票（ボトム紙）以外の中間の紙片を複写させない場合、その紙片の上側に重なる紙片の発色剤を塗布しないようにすれば良い。
【００４４】
また、上記実施形態では、有版印刷機であるオフセット印刷機にて絵柄等を印刷した後、無版印刷機であるプリンタにて識別情報６、１６を印刷するようにしたが、プリンタとしてフルカラープリンタを使用し、識別情報６、１６とともに絵柄等を無版印刷で印刷するようにしても良い。
【産業上の利用可能性】
【００４５】
本発明の複写シートは、宅配便のような配送業務に使用する配送伝票、各種入会申込に使用する申込書等の複写を必要とする産業に利用できる。
【符号の説明】
【００４６】
１、１１・・・基材
１ａ、１１ａ・・・第１紙片（最上票）
１ｂ、１１ｂ・・・第２紙片
１ｃ、１１ｃ・・・第３紙片
１ｄ、１１ｄ・・・第４紙片（最下票）
２ａ、２ｂ、１２ａ、１２ｂ・・・切り離し用ミシン目
３、１３・・・記入欄
４・・・顕色剤層
５、１５・・・発色剤層
６、１６・・・識別情報
７ａ、７ｂ、７ｃ・・・複写欄
１４・・・顕色剤層（複写欄）
【図１】
2015063107.tif 000003
【図２】
2015063107.tif 000004
【図３】
2015063107.tif 000005
【図５】
2015063107.tif 000006
【図４】
2015063107.tif 000007